(57)【要約】【課題】  画像処理装置が有するアドレス帳を記憶装置にバックアップ及びリストアする場合のセキュリティを高める。【解決手段】  アドレス帳のバックアップ時には、通信モジュール１１は、画像処理装置からアドレス帳を取得する。取得したアドレス帳は、暗号化・復号化モジュール１４に送られ暗号化される。暗号化されたアドレス帳はファイル出力・入力モジュール１４を介して記憶装置２へ格納される。リストア時には、ファイル出力・入力モジュール１４は、記憶装置２から暗号化されたアドレス帳を取得する。暗号化・復号化モジュール１３は、取得した暗号化されたアドレス帳を復号化する。通信モジュール１１は、復号化したアドレス帳を画像処理装置へ転送する。【選択図】  図２
2005149025.tif 000002
【特許請求の範囲】
【請求項１】
画像処理装置からアドレス帳を取得する取得手段と、
前記取得したアドレス帳を暗号化する暗号化手段と、
前記暗号化されたアドレス帳を記憶装置に出力する出力手段と、
前記記憶装置から前記暗号化されたアドレス帳を取得する取得手段と、
前記取得した暗号化されたアドレス帳を復号化する復号化手段と、
前記復号化されたアドレス帳を前記画像処理装置に出力する出力手段とを設けたことを特徴とするクライアント装置。
【請求項２】
画像処理装置から暗号化されているアドレス帳を取得する取得手段と、
前記取得した暗号化されているアドレス帳を記憶装置に出力する出力手段と、
前記記憶装置から前記暗号化されているアドレス帳を取得する取得手段と、
前記取得した暗号化されているアドレス帳を前記画像処理装置に出力する出力手段とを設けたことを特徴とするクライアント装置。
【請求項３】
アドレス帳の暗号化・復号化に使用する暗号鍵をユーザが設定する設定手段と、
前記設定された鍵を画像処理装置に出力する出力手段と、
前記画像処理装置が前記出力した暗号鍵を用いて暗号化したアドレス帳を取得する取得手段と、
前記取得した暗号化したアドレス帳を記憶装置に出力する出力手段と、
前記記憶装置から前記暗号化したアドレス帳を取得する取得手段と、
前記取得した暗号化したアドレス帳を前記画像処理装置に出力する出力手段とを設けたことを特徴とするクライアント装置。
【請求項４】
画像処理装置からアドレス帳を取得する取得処理と、
前記取得したアドレス帳を暗号化する暗号化処理と、
前記暗号化されたアドレス帳を記憶装置に出力する出力処理と、
前記記憶装置から前記暗号化されたアドレス帳を取得する取得処理と、
前記取得した暗号化されたアドレス帳を復号化する復号化処理と、
前記復号化されたアドレス帳を前記画像処理装置に出力する出力処理とをコンピュータに実行させるプログラム。
【請求項５】
画像処理装置から暗号化されているアドレス帳を取得する取得処理と、
前記取得した暗号化されているアドレス帳を記憶装置に出力する出力処理と、
前記記憶装置から前記暗号化されているアドレス帳を取得する取得処理と、
前記取得した暗号化されているアドレス帳を前記画像処理装置に出力する出力処理とをコンピュータに実行させるプログラム。
【請求項６】
アドレス帳の暗号化・復号化に使用する暗号鍵をユーザが設定する設定処理と、
前記設定された鍵を画像処理装置に出力する出力処理と、
前記画像処理装置が前記出力した暗号鍵を用いて暗号化したアドレス帳を取得する取得処理と、
前記取得した暗号化したアドレス帳を記憶装置に出力する出力処理と、
前記記憶装置から前記暗号化したアドレス帳を取得する取得処理と、
前記取得した暗号化したアドレス帳を前記画像処理装置に出力する出力処理とをコンピュータに実行させるプログラム。
【請求項７】
請求項４〜６のいずれか１項記載のプログラムを記録したコンピュータ読み取り可能な記録媒体。
【発明の詳細な説明】
【技術分野】
【０００１】
本発明は、ネットワークに接続されたファクス装置や複合機等の画像処理装置が有するアドレス帳をバックアップ及びリストアするためのＰＣ等のクライアント装置、この装置で用いられるプログラム及びコンピュータ読み取り可能な記録媒体に関するものである。
【背景技術】
【０００２】
従来より、画像処理装置内に格納される各種設定情報、ソフトウェア、ユーザデータ、ジョブ情報等をバックアップさせる画像処理装置及び画像処理装置の制御方法が提案されている（例えば、特許文献１参照）。
また、複合装置から入力される画像データに対する配信処理先を指定するためのアドレス設定操作負担を軽減するサーバ装置及びサーバ装置のデータ処理方法及び複合装置及び複合装置のデータ処理方法が提案されている（例えば、特許文献２参照）。
また、コンピュータ及び周辺機器を接続したネットワークシステムにおいて、各機器が保持するアドレス帳の宛先の同期を取り、その内容の更新を行うネットワークシステム及びその制御方法、及び周辺機器管理装置が提案されている（例えば、特許文献３参照）。
【０００３】
しかしながら、画像処理装置が有するアドレス帳を記憶装置にバックアップし、また、記憶装置にバックアップされたアドレス帳を再び画像処理装置にリストアする技術はなく、特に、バックアップ及びリストアする際のセキュリティの保持に関する技術は提案されていない。
【特許文献１】特開２００１−５３９１３号公報
【特許文献２】特開平１１−３１３０７８号公報
【特許文献３】特開２００１−２４９８８２号公報
【発明の開示】
【発明が解決しようとする課題】
【０００４】
本発明は、画像処理装置が有するアドレス帳を記憶装置にバックアップ及び記憶装置から画像処理装置にリストアする際のセキュリティを高めることを課題とする。
【課題を解決するための手段】
【０００５】
本発明によるクライアント装置は、画像処理装置からアドレス帳を取得する取得手段と、前記取得したアドレス帳を暗号化する暗号化手段と、前記暗号化されたアドレス帳を記憶装置に出力する出力手段と、前記記憶装置から前記暗号化されたアドレス帳を取得する取得手段と、前記取得した暗号化されたアドレス帳を復号化する復号化手段と、前記復号化されたアドレス帳を前記画像処理装置に出力する出力手段とを設けたことを特徴とするものである。
【０００６】
また、本発明によるクライアント装置は、画像処理装置から暗号化されているアドレス帳を取得する取得手段と、前記取得した暗号化されているアドレス帳を記憶装置に出力する出力手段と、前記記憶装置から前記暗号化されているアドレス帳を取得する取得手段と、前記取得した暗号化されているアドレス帳を前記画像処理装置に出力する出力手段とを設けたことを特徴とするものである。
【０００７】
また、本発明によるクライアント装置は、アドレス帳の暗号化・復号化に使用する鍵をユーザが設定する設定手段と、前記設定された暗号鍵を画像処理装置に出力する出力手段と、前記画像処理装置が前記出力した暗号鍵を用いて暗号化したアドレス帳を取得する取得手段と、前記取得した暗号化したアドレス帳を記憶装置に出力する出力手段と、前記記憶装置から前記暗号化したアドレス帳を取得する取得手段と、前記取得した暗号化したアドレス帳を前記画像処理装置に出力する出力手段とを設けたものである。
【０００８】
また、本発明によるプログラムは、画像処理装置からアドレス帳を取得する取得処理と、前記取得したアドレス帳を暗号化する暗号化処理と、前記暗号化されたアドレス帳を記憶装置に出力する出力処理と、前記記憶装置から前記暗号化されたアドレス帳を取得する取得処理と、前記取得した暗号化されたアドレス帳を復号化する復号化処理と、前記復号化されたアドレス帳を前記画像処理装置に出力する出力処理とをコンピュータに実行させるものである。
【０００９】
また、本発明によるプログラムは、画像処理装置から暗号化されているアドレス帳を取得する取得処理と、前記取得した暗号化されているアドレス帳を記憶装置に出力する出力処理と、前記記憶装置から前記暗号化されているアドレス帳を取得する取得処理と、前記取得した暗号化されているアドレス帳を前記画像処理装置に出力する出力処理とをコンピュータに実行させるものである。
【００１０】
また、本発明によるプログラムは、アドレス帳の暗号化・復号化に使用する暗号鍵をユーザが設定する設定処理と、前記設定された暗号鍵を画像処理装置に出力する出力処理と、前記画像処理装置が前記出力した鍵を用いて暗号化したアドレス帳を取得する取得処理と、前記取得した暗号化したアドレス帳を記憶装置に出力する出力処理と、前記記憶装置から前記暗号化したアドレス帳を取得する取得処理と、前記取得した暗号化したアドレス帳を前記画像処理装置に出力する出力処理とをコンピュータに実行させるものである。
【００１１】
また、本発明によるコンピュータ読み取り可能な記録媒体は、上記各プログラムを記録したものである。
【発明の効果】
【００１２】
本発明によれば、画像処理装置から取得したアドレス帳を暗号化してから記憶装置に記憶するので、セキュリティを高めることができる。
また、画像処理装置において暗号化されているアドレス帳をバックアップ及びリストアするので、セキュリティを高めることができる。
また、ユーザの指定によって生成された鍵を用いてアドレス帳を暗号化・復号化するので、セキュリティを高めることができる。
【発明を実施するための最良の形態】
【００１３】
本発明は、画像処理装置から取得したアドレス帳を暗号化してからバックアップすると共に、暗号化されたアドレス帳を画像処理装置にリストアするようにした。
また本発明は、画像処理装置において暗号化されているアドレス帳をバックアップ及びリストアするようにした。
また本発明は、ユーザの指定によって生成された暗号鍵を画像処理装置に送り、画像処理装置がこの暗号鍵を用いて暗号化したアドレス帳をバックアップ・リストアするようにした。
【実施例１】
【００１４】
以下、本発明の実施例１を図面と共に説明する。
図１は本発明の実施例１によるアドレス帳管理システムを示すブロック図である。
本システムは、ＰＣ１、記憶装置２、複合機３、ファクス装置４がネットワークを介して接続されることにより構成されている。
複合機３は、コピー、スキャナ、メール、ファクス等のいずれか複数の機能を有する画像処理装置であり、ファクス装置４は、ファクス機能を有する画像処理装置である。これらの画像処理装置は、メールアドレスやファクス番号等が登録されたアドレス帳を有する。
【００１５】
ＰＣ１は、複合機３、ファクス装置４等の画像処理装置からアドレス帳を記憶装置２にバックアップすると共に、記憶装置２にバックアップされているアドレス帳を画像処理装置にリストアするための画像処理装置管理プログラムを有する。このＰＣ１は、ユーザがアドレス帳を管理するために操作する本発明によるクライアント装置を構成する。記憶装置２は、アドレス帳データを記憶する。
【００１６】
図２はＰＣ１におけるモジュール構成図であり、通信モジュール１１、メインモジュール１２、暗号化・復号化モジュール１３及びファイル出力・入力モジュール１４からなる。
通信モジュール１１：ネットワーク上の画像処理装置（複合機３、ファクス装置４）と通信し、アドレス帳のバックアップ及びリストアを行う。
メインモジュール１２：ユーザインターフェース及び各モジュールの制御機能を有する。
暗号化・復号化モジュール１３：アドレス帳の暗号化及び復号化を行う。
ファイル出力・入力モジュール１４：アドレス帳の記憶装置２への出力及び記憶装置からの入力を行う。
【００１７】
図３は動作を示すフローチャートで、（ａ）がバックアップ時、（ｂ）がリストア時を示す。
（ａ）バックアップ時の動作
Ｓ１：通信モジュール１１が画像処理装置からアドレス帳を取得する。
Ｓ２：取得したアドレス帳は、メインモジュール１２を介して暗号化・復号化モジュール１３に送られ暗号化される。
Ｓ３：暗号化されたアドレス帳をファイル出力・入力モジュール１４を介して記憶装置２に格納する。
【００１８】
（ｂ）リストア時の動作
Ｓ４：ファイル出力・入力モジュール１４が記憶装置２から暗号化されたアドレス帳を取得する。
Ｓ５：取得した暗号化されたアドレス帳は暗号化・復号化モジュール１３で復号化される。
Ｓ６：復号化されたアドレス帳は、メインモジュール１２、通信モジュール１１を介して画像処理装置へ転送される。
【００１９】
本実施例によれば、ＰＣ１が取得したアドレス帳を暗号化してから記憶装置２に記憶するので、セキュリティを高めることができる。
【実施例２】
【００２０】
図４は本発明の実施例２によるＰＣ１におけるモジュール構成図であり、図２と対応する部分には同一番号を付して重複する説明は省略する。尚、システム全体の構成は図１と同じである。
図５は動作を示すフローチャートで、（ａ）がバックアップ時、（ｂ）がリストア時を示す。
（ａ）バックアップ時の動作
Ｓ１１：画像処理装置から暗号化されているアドレス帳を取得する。
Ｓ１２：取得した暗号化されているアドレス帳を記憶装置２へ格納する。
（ｂ）リストア時の動作
Ｓ１３：記憶装置２から暗号化されているアドレス帳を取得する。
Ｓ１４：取得した暗号化されているアドレス帳を画像処理装置へ転送する。
【００２１】
実施例１の場合は、アドレス帳の情報がネットワーク上で第三者により不正アクセス（盗聴）された場合、セキュリティの確保ができず、また、画像処理装置から直接アドレス帳の情報が不正アクセスされる可能性もある。
これに対して、本実施例２によれば、画像処理装置により暗号化されているアドレス帳をバックアップ及びリストアするので、セキュリティを高めることができる。
【実施例３】
【００２２】
図６は本発明の実施例３によるＰＣ１におけるモジュール構成図であり、図２と対応する部分には同一番号を付して重複する説明は省略する。尚、システム全体の構成は図１と同じである。
本実施例は、図４の構成に暗号鍵設定モジュール１５を追加したものである。暗号鍵設定モジュール１５は、実施例２において、アドレス帳を画像処理装置で暗号化・復号化する際に使用する暗号鍵をユーザの指定により生成し設定するものである。
【００２３】
バックアップ時には、ユーザにより暗号鍵設定モジュール１５で設定された暗号鍵は画像処理装置に送られ、画像処理装置はこの暗号鍵を用いてアドレス帳を暗号化する。暗号化されたアドレス帳はＰＣ１に取得され、ＰＣ１はこれを記憶装置２に格納する。リストア時には、ＰＣ１は記憶装置２から暗号化されたアドレス帳を取得し、これを画像処理装置に転送する。画像処理装置では、前記暗号鍵を用いて暗号化されたアドレス帳を復号化する。
【００２４】
前記実施例２では、記憶装置２に出力された暗号化データが解読された場合、セキュリティの確保ができない（少なくとも暗号化方法の提供者は解読ができてしまう）。
これに対して、本実施例３によれば、画像処理装置においてアドレス帳を暗号化する場合に、ユーザの指定によって生成された鍵を暗号化・復号化の際に使用するので、セキュリティを高めることができる（暗号化方法の提供者でも鍵を知らない以上は解読ができない）。
【実施例４】
【００２５】
本実施例４は、図１のようにＰＣ１に格納された画像処理装置管理プログラムを提供するものである。
本実施例４によれば、最初からＰＣ１に複合機３、ファクス装置４等の画像処理装置の管理プログラムを導入することで、画像処理装置の管理を行うことができる。
【実施例５】
【００２６】
本実施例５は、図１のように既存のＰＣ１に前記画像処理装置管理プログラムを提供するために、そのプログラムをＰＣにインストールするためのインストールキットをコンピュータ読み取り可能な記録媒体に格納するものである。
本実施例５によれば、既存のユーザのＰＣ１では画像処理装置の管理ができないが、画像処理装置管理プログラムを格納したコンピュータ読み取り可能な記憶媒体（例えば、ＣＤ−Ｒ、イメージファイル等各種記録媒体）を既存のユーザのＰＣ１にインストールすることにより、画像処理装置の管理を行うことができる。
【図面の簡単な説明】
【００２７】
【図１】本発明の実施例１、２、３によるアドレス帳管理システムを示すブロック図である。
【図２】本発明の実施例１によるＰＣの構成を示すブロック図である。
【図３】本実施例１による動作を示すフローチャートである。
【図４】本発明の実施例２によるＰＣの構成を示すブロック図である。
【図５】本実施例２による動作を示すフローチャートである。
【図６】本発明の実施例３によるＰＣの構成を示すブロック図である。
【符号の説明】
【００２８】
１    ＰＣ
２    記憶装置
３    複合機
４    ファクス装置
１１    通信モジュール
１２    メインモジュール
１３    暗号化・復号化モジュール
１４    ファイル出力・入力モジュール
１５    暗号鍵設定モジュール
【図１】
2005149025.tif 000003
【図２】
2005149025.tif 000004
【図３】
2005149025.tif 000005
【図４】
2005149025.tif 000006
【図５】
2005149025.tif 000007
【図６】
2005149025.tif 000008